(57)【特許請求の範囲】
【請求項１】
注射器用の薬液を封入し且つ注射器として使用する容器兼用注射器において、
薬液を充填する内容器の外側を蛇腹型外容器で覆った形状の容器本体と、該容器本体の口部に嵌入されて該口部を封止する栓部材と、該栓部材上に設けられた針取付部と、を備え、
該容器本体の該蛇腹型外容器には該内容器と該蛇腹型外容器との間に外気を導入するための通気孔が穿設され、該内容器の胴部の厚さは該容器本体内の圧力の低下によって収縮可能に薄く形成され、該内容器の口部近傍の厚さは該胴部の厚さより厚く形成され、該内容器の密着により該通気孔が閉鎖され、該内容器の収縮により密着が解除されて該通気孔が開放されることを特徴とする容器兼用注射器。
【請求項２】
前記通気孔は前記容器本体の前記蛇腹型外容器の口部近傍に形成されている請求項１記載の容器兼用注射器。
【請求項３】
前記栓部材には該栓部材を容器本体の口部の中間位置に嵌め込んだ際に該口部をシールするシール部が設けられ、使用時に該栓部材を該口部内に押し込むことによって、該シール部のシールを解除して該容器本体内の薬液を該栓部材の薬液通路内に導入するように構成した請求項１記載の容器兼用注射器。
【請求項４】
前記栓部材と前記容器本体の口部を覆ってキャップが押し込み可能に被せられ、該キャップの押し込みにより、該栓部材が該口部内に押し込まれ、前記シール部のシールが解除される請求項３記載の容器兼用注射器。
【請求項５】
前記栓部材上の針取付部には、前記薬液通路に連通する連通孔が設けられ、注射針が嵌着されている請求項３記載の容器兼用注射器。
【請求項６】
前記蛇腹型外容器には末端側に蛇腹部が設けられると共に、先端側に円筒部が設けられ、該円筒部内に前記内容器が配設されている請求項１記載の容器兼用注射器。
【請求項７】
前記蛇腹型外容器には全体に蛇腹部が設けられ、該蛇腹型外容器内に全体に前記内容器が配設されている請求項１記載の容器兼用注射器。
【発明の詳細な説明】
【０００１】
【発明の属する技術分野】
本発明は、薬液を収容する容器を備えると共に、容器内の薬液を注射する注射器として使用可能な容器兼用注射器に関する。
【０００２】
【従来の技術】
アンプルなどの容器から注射器に薬液を吸引する際の誤操作や異物の混入汚染の防止等を目的として、近年、プレフィルドシリンジなどのように、薬液を収容する容器を備え、容器内の薬液を注射する注射器として使用可能な容器兼用注射器が各種開発され、医療機関などで使用されている（例えば特開平１１−１９２１２号公報等参照）。
【０００３】
【発明が解決しようとする課題】
この種の従来の容器兼用注射器は、一般にガラス製の注射筒を使用し、その注射筒内に薬液を充填しているが、ガラス製の注射筒はその寸法精度が比較的低く、内径等のばらつきが大きいため、筒内密閉のためにゴム栓やプランジャのシール用にゴムシール材を使用している。ゴム材料は一般に薬液に対し不純物の溶出が生じる場合があり、また、薬液中の有効成分がゴム材料に付着して薬液を変質させる恐れがあることから、ゴム栓などの表面には、耐薬剤膜を付着させる処理を行っている。
【０００４】
このため、従来のガラス製注射筒とゴム栓を使用した容器兼用注射器は、構造が複雑化し、製造工程も多くなるなどの問題があった。また、プランジャに嵌着されたゴムシール材には、その摺動シール用にシリコンオイルが塗布されるが、このシリコンオイルが薬液中に溶出する問題があった。さらに、ゴム栓を設けた容器兼用注射器の滅菌処理を行う場合、通常の加熱処理やガス滅菌などの方法によっては、ゴム栓の表面の耐薬剤膜の劣化などがあって、ゴム栓から不純物が溶出する恐れがあり、このために、ゴム栓を使用した容器兼用注射器には特殊な滅菌処理が必要となり、製造コストが増大する問題があった。
【０００５】
本発明は上記の点に鑑みなされたもので、構造が簡単で、比較的少ない製造工程で安価に製造することができ容器兼用注射器を提供することを目的とする。
【０００６】
【課題を解決するための手段】
上記目的を達成するために、本発明の容器兼用注射器は、注射器用の薬液を封入し且つ注射器として使用する容器兼用注射器において、薬液を充填する内容器の外側を蛇腹型外容器で覆った形状の容器本体と、容器本体の口部に嵌入されて口部を封止する栓部材と、栓部材上に設けられた針取付部と、を備え、容器本体の蛇腹型外容器には内容器と蛇腹型外容器との間に外気を導入するための通気孔が穿設され、内容器の胴部の厚さは容器本体内の圧力の低下によって収縮可能に薄く形成され、内容器の口部近傍の厚さは胴部の厚さより厚く形成され、内容器の密着により通気孔が閉鎖され、内容器の収縮により密着が解除されて通気孔が開放されることを特徴とする。
【０００７】
ここで、通気孔は容器本体の蛇腹型外容器の口部近傍に形成することができる。
【０００８】
さらに、栓部材には、栓部材を容器本体の口部の中間位置に嵌め込んだ際に口部をシールするシール部を設け、使用時に栓部材を口部内に押し込むことによって、シール部のシールを解除して、容器本体内の薬液を栓部材の薬液通路内に導入するように構成することができる。
【０００９】
さらに、栓部材と容器本体の口部を覆って、キャップを押し込み可能に被せ、キャップの押し込みにより、栓部材を口部内に押し込み、シール部のシールを解除するように構成することができる。また、栓部材上の針取付部に、薬液通路に連通する連通孔を設け、注射針を針取付部に嵌着して使用することができる。
【００１０】
さらに、蛇腹型外容器には末端側に蛇腹部を設けると共に、先端側に円筒部を設け、円筒部内に内容器を配設することができる。また、蛇腹型外容器全体に蛇腹部を設け、その全体に内容器を配設してもよい。
【００１１】
【作用】
上記構成の容器兼用注射器は、蛇腹型外容器と内容器を有する容器本体の内容器内に薬液が充填され、その容器本体の口部に栓部材を嵌着し、口部を封止する。そして、その栓部材と容器本体の口部にキャップを被せる。注射針を栓部材の針取付部に嵌着した状態でキャップを被せる場合は、注射針を収容可能に長さの長いキャップを被せ、注射針を嵌着しない状態で商品とする場合は、長さの短い小型のキャップを被せる。
【００１２】
注射器を使用する際には、容器本体のキャップをさらに押し込むようにして、栓部材のシール部のシール位置をずらす。これにより、シール部のシールを外して、容器本体の内容器内の薬液を栓部材の薬液通路に導入可能とする。そして、容器本体の口部からキャップを外し、注射針が装着されてない場合には注射針を栓部材上の針取付部に装着する。
【００１３】
薬液を注射する際には、容器本体の蛇腹型外容器の後端部を押す。このとき、容器本体内の内容器は、外容器に押されて、或いは外容器内の圧力上昇によって収縮し、内容器内の薬液は、注射針を通して注射される。蛇腹型外容器にはばね弾性があって、その後端部を押す力を緩めると、蛇腹型外容器は元の形状に戻る力が作用するが、このとき、蛇腹型外容器の通気孔が開いて、外気が外容器と内容器の間に進入するから、外容器内や内容器内に負圧がかからず、薬液が逆流することはない。また、再度、蛇腹型外容器の後端部を押せば、内容器を収縮させる力が生じ、薬液を容易に押し出すことができる。
【００１４】
本容器兼用注射器は、プラスチックにより全体を簡単に成形することができ、且つ従来のようなゴム栓を使用せずに形成することができる。また、蛇腹型外容器を使用してプランジャを使用しないために、プランジャ用のゴム製シール材を使用せずに形成することができる。このため、ゴム栓を使用する従来の注射器に施していた、ゴム栓などの表面の耐薬剤膜付着処理が不要となり、また、ゴムシール材に塗布していたシリコンオイルの影響を受けることがない。さらに、ゴム材料を使用しないため、器具を滅菌処理する際の処理方法の選択枝が広がり、より簡単な滅菌処理を行って、製造コストを削減することができる。
【００１５】
【発明の実施の形態】
以下、本発明の一実施形態を図面に基づいて説明する。図１は容器兼用注射器の正面図を、図２はその分解図を示し、図３はその断面図を示している。この容器兼用注射器は、薬液を充填する内容器３の外側を蛇腹型外容器２で覆った形状の容器本体１と、容器本体１の口部７に嵌入されて口部７を封止する栓部材４と、栓部材４上に設けられた針取付部４４と、栓部材４及び口部７を覆って被せられたキャップ６と、を備えて構成される。
【００１６】
容器本体１の蛇腹型外容器２は、その胴部の末端側略半分が蛇腹部２０として蛇腹形状に形成され、胴部の先端側略半分が円筒部２４として形成され、末端部を押すことにより、胴部をその長さ方向に収縮可能である。蛇腹型外容器２の口部７の肉厚は胴部より厚く形成され、口部７の少し下に内容器３と外容器２との間に外気を導入するための通気孔２３が穿設され、通気孔２３の下にフランジ２５が形成されている。フランジ２５は注射をする際の容器側の把持部として使用される。
【００１７】
内容器３は、このような蛇腹型外容器２内の円筒部２４内側を覆うように形成されるが、特に内容器３の口部は、胴部に比べ肉厚に形成され、さらに、内容器３の口部内周面には、環状突部３１が形成され、外容器２の口部が内容器３の口部外側に密着している。通気孔２３の内側に内容器３の口部が密着することにより、通気孔２３を閉鎖しているが、内容器３の収縮時には内容器３の密着が解消され、外容器２と内容器３の間に通気孔２３を通して外気が導入される。
【００１８】
容器本体１の口部７に嵌入されて口部７を封止する栓部材４は、図４に示すように、円板状基部４０の上に針取付部４４を突設し、円板状基部４０の下側に支持部を介して環状ガイド部４２を水平に設け、その下に支持部を介して円板状シール部４1を設けて構成されている。円板状基部４０の中央に縦に設けられた円筒状の支持部内には薬液通路４５が設けられ、環状ガイド部４２と円板状シール部４１間の支持部には開口部４５ａが設けられる。環状ガイド部４２の外周面には、凹条が形成され、口部７の内周面に設けられた凸条に嵌合可能である。
【００１９】
図3に示すように、栓部材４は容器本体１の口部７に所定位置まで嵌め込まれるが、このとき、環状ガイド部４２の凹条と口部内周面側の凸条が嵌合して、栓部材４は定位置に嵌着され、円板状シール部４１が内容器３の口部の環状突部３１に当接してその間を封止する位置に嵌め込まれる。このとき、円板状基部４０と容器本体口部の上面間に隙間が生じ、キャップ６の押し込み操作により、栓部材４はさらに容器本体1の口部７に押し込まれ、口部７の上面を円板状基部４０の下面でシールすることが可能である。円板状基部４０の下面にはシール面が形成され、環状ガイド部４２の外周面にもシール面が形成され、内容器３の口部内周面に当接するシール部としても機能する。
【００２０】
栓部材４は、薬液の充填時に、容器本体１の口部７内に図３の位置まで押し込むように装着されるが、その際、その押し込み用治具が容器本体１の口部近傍を把持する際に位置決めを行うために、外容器２の通気孔２３の上に段差部２２が形成されている。また、栓部材４を口部７に押し込んだとき、環状ガイド部４２の外周面が内容器3の口部内周面の最上部に正確に位置決めされて停止するように、その外周面と内周面に凹凸部が形成される。栓部材４を定位置まで押し込んだ際、その円板状シール部４１が内容器３の口部内の環状突部３1に当接して口部をシールする状態で停止する。
【００２１】
図３のように、栓部材４を嵌め込んだ容器本体1の口部７には、キャップ６が栓部材４と口部７を覆うように被せられ、キャップ６の下部内周面は、溶着部６１において、外容器２の外面に溶着される。溶着としては、熱溶着や超音波溶着を用いることができる。また、図３に示すように、キャップ６の内側に環状押圧部６２が設けられ、薬液の使用時にキャップ６の押し込みによって、栓部材４を押し込み、容器の口部を開封する際、環状押圧部６２が栓部材４の円板状基部４０の上面を均等に押圧可能とされる。
【００２２】
なお、図示は省略されているが、使用時にキャップ６を所定位置まで押し込んで、図５のように、栓部材４を口部７の奥まで進入させ際、クリック感触によってその押し込み端が使用者に容易に認識できるように、凹部又は凸部を内周面に設けるとよい。
【００２３】
上記容器本体１は、射出成形ブロー成形法、ダイレクトブロー成形法などの成形方法を用いて、その内容器３と蛇腹型外容器２を成形することができる。また、例えば、内容器の内層プリフォームと外容器の外層プリフォームとを別個に成形し、内層パリソンを外層パリソンの内側に挿入したパリソンをブロー成形して容器本体１を成形することもできる。この場合、容器本体１はその口部とそれに続く円筒部が内容器３と外容器２とから形成され、口部は胴部よりその肉厚を厚くして、剛性を持たせ、内容器３の胴部においては、フィルム状に形成することにより、容易に収縮可能とする。蛇腹型外容器２の円筒部２４は、容易に変形しない程度の形状保持性を有して成形され、蛇腹部２０はその後端部を押さえた際長手方向に収縮し、押圧力を外すと、適度の弾性力で元の形状に復元するように成形される。
【００２４】
内容器３は、蛇腹型外容器２の円筒部内で容易に剥離可能に積層形成されているが、内容器３の口部上端は、外容器２の口部上端に係止され取着される。また、外容器２の口部内周面の軸方向にローレットを設け、内容器３の周方向へのずれを防止することもできる。
【００２５】
容器本体１の内容器３の材料としては、ポリエチレン、ポリプロピレンなどのポリオレフィン系樹脂を使用することができる。また、蛇腹型外容器２の材料としては、ポリエチレンテレフタレート、ポリエチレンナフタレートなどの飽和ポリエステル系樹脂、或いはＥＶＯＨ（エチレンービニルアルコール共重合体）を使用することができる。また、容器本体１の材料としては、透明性が高く、ガスバリア性に優れ、水分透過性が低い材料を選定することになるが、内容器３では、薬液に直接接するために、耐薬品性の高い材料、例えばポリエチレン等を用いることが好ましい。また、外容器と内容器を共にポリオレフィン系樹脂で作ることもでき、外容器をポリエチレンで、内容器をポリプロピレンで作ることもできる。
【００２６】
蛇腹型外容器２をポリエチレンテレフタレート、内容器３をポリエチレンとした場合、容器本体１はＥＯ（エチレンオキシド）滅菌を良好に実施することができる。容器をＥＯ殺菌する際の最大の問題は、ＥＯガスが成形樹脂内に残留する点と、ＥＯガスの薬液中への溶出と化学反応であるが、ポリエチレンやポリエチレンテレフタレートはＥＯガスの残留が少なく、離脱も早いため、ＥＯの薬液中への溶出を低減し、しかも薬液の蒸発を防止してその成分の濃縮を防止することができる。栓部材４は、例えばポリエチレンにより一体成形することができる。
【００２７】
このように、内容器３として耐薬品性の高い材料を選択する一方、蛇腹型外容器２には内容器に対する剥離性が高く、高い形状保持性や小さい水分透過性を持った材料を選択するなど、内層と外層とで、異なる物性の材料を使用し、機能性の高い容器兼用注射器を構成することができる。
【００２８】
実際に容器本体１内に薬液を注入し、栓部材４をその口部に嵌めて封止する場合、まず、容器本体１や栓部材４のＥＯ滅菌処理を行った後、容器本体１の内容器３内に薬液を注入し、栓部材４を嵌めて口部７を密閉する。このとき、図３に示すように、栓部材４の円板状シール部４１が内容器３の環状突部３１に当接してシールする位置に、栓部材４をはめ込む。
【００２９】
容器本体１は、その蛇腹型外容器２を例えばポリエチレンテレフタレートなどの硬質合成樹脂で成形する。ポリエチレンテレフタレートは、高い弾性強度を有すると共に良好な透明性を有し、低い水分透過性を持った材料であるから、蛇腹型外容器２として適当であり、容器兼用注射器の搬送時や取り扱い時において、外力が印加された場合でも、破損することはない。また、内容器３と栓部材４をポリエチレン等の、耐薬品性が高くＥＯ滅菌処理の残留分や溶出分の少ない材料で成形することにより、薬液を容器本体１内で良好に保存することができる。
【００３０】
上記構成の容器兼用注射器を使用する場合、まず、図３に示すように、キャップ６を容器本体1に対し押し込み、栓部材４の薬液通路４５内に薬液を導入する。キャップ６をその溶着部６１を破って、口部７に対しその押し込み端まで押し込むと、栓部材４が押されて口部７内に進入し、栓部材４の円板状シール部４１が内容器３の口部内の環状突部３１から外れ、内容器３内の薬液がその間を通過して栓部材４内の薬液通路４５に流入する。この状態でも、栓部材４の円板状基部４０が口部７の上面に当接してその面をシールし、環状ガイド部４２が内容器口部の内周面に当接してその面をシールし、容器本体１の口部７のシール状態は確実に保持される。
【００３１】
次に、キャップ６を外し、図５に示すように、注射針５を針取付部４４に嵌め込む。そして、フランジ２５を把持しながら蛇腹型外容器２の末端部を押して、内容器３内の薬液を注射する。このとき、図６に示すように、蛇腹型外容器２の蛇腹部２０の末端を押すと、外容器２内の容積が減少してその内圧が上昇し、内圧の上昇により内容器３が押されて収縮し、内容器３内の薬液が開口部４５ａから栓部材４内の薬液通路４５を通り、針取付部４４から注射針５に送られ、注射される。
【００３２】
蛇腹部２０を押す力を緩めると、蛇腹部２０はそのばね弾性によって元の形状に戻り、外容器２内が負圧になるが、このとき、外容器２の口部の通気孔２３が、内容器３の内側への剥離によって開き、外気が外容器２内に入るため、すぐに大気圧となり、内容器３内に負圧を生じさせたり、内容器３が収縮前の形状に戻ることはない。したがって、蛇腹部２０を押す力を緩めると、薬液の射出は止まり、内容器３内や薬液通路４５内に外気が浸入したり、薬液の逆流を生じさせることはなく、安全に且つ衛生的に注射を行うことができる。
【００３３】
上記実施例では、注射器に注射針は付属せず、使用者が注射器を使用する際、別に購入した注射針５を容器兼用注射器の栓部材４の針取付部４４に装着したが、図７のように、予め注射針５を装着した容器兼用注射器とすることもできる。この場合には、注射針５を覆うことが可能な程度の長いキャップ２６を口部７と栓部材４に被せるようにすればよい。この長いキャップ２６には、上記と同様に、環状押圧部６２を設けて、栓部材４の円板状基部４０の上面を均等に押圧可能とし、キャップ２６の下端内周面は外容器２に対し溶着される。
【００３４】
さらに、図８は他の実施例の容器兼用注射器を示し、この例では、容器の口部７に栓部材３４を嵌着または溶着して固定するように構成される。この栓部材３４は、図９に示すように、円筒状基部３５の上におねじを形成した螺合部３７を立設し、螺合部３７の上に針取付部３８を設けて形成される。螺合部３７から針取付部３８にかけて連通する薬液通路３９が形成され、薬液通路３９は孔を通して内容器３内に連通する。
【００３５】
円筒状基部３５の下側には、容器本体の口部７と嵌合する環状凹部３５ａが設けられ、その環状凹部３５ａ内に口部７を密にはめ込む構造である。栓部材３４の上にはキャップ３６が被せられ、ねじ締めされる。キャップ３６の内側には、環状押圧部３６ａが設けられ、環状押圧部３６ａは栓部材３４の上面を均等に押圧可能である。
【００３６】
このような構成の容器兼用注射器では、内容器３内に薬液を充填し、その口部７に栓部材３４の低部の円筒状基部３５の環状凹部３５ａを嵌め込み、その接合部を熱溶着又は超音波溶着する。この容器兼用注射器を使用する場合、上記と同様に、キャップ３６を外して、注射針を針取付部３８に装着し、蛇腹型外容器２の蛇腹部２０の後端部を押して注射を行う。
【００３７】
このとき、上記と同様に、蛇腹型外容器２の蛇腹部２０の末端を押すと、外容器２内の容積が減少してその内圧が上昇し、内圧の上昇により内容器３が押されて収縮し、内容器３内の薬液が栓部材３４内の薬液通路３９を通り、針取付部３８から注射針５に送られ、注射される。この容器兼用注射器においても、上記と同様に、蛇腹部２０を押す力を緩めると、薬液の射出は止まり、内容器３内や薬液通路４５内に外気が浸入したり、薬液の逆流を生じさせることはなく、安全に且つ衛生的に注射を行うことができる。
【００３８】
図１０〜図１３はさらに他の実施例の容器兼用注射器を示している。この例では、容器本体５１のほぼ全体が蛇腹状に形成されている。栓部材４とキャップ６は上記実施例と同じ構造である。すなわち、容器本体５１の蛇腹型外容器５２は、その胴部全体が蛇腹形状に形成され、末端部を押すことにより、胴部をその長さ方向に収縮可能である。蛇腹型外容器５２の口部の肉厚は上記と同様に、胴部より厚く形成され、口部の下方に内容器５３と外容器５２との間に外気を導入するための通気孔５８が穿設されその下にフランジ５６が形成される。また、口部の内側に環状突部５７が設けられる。フランジ５６は注射を行う際の容器の把持部として使用される。
【００３９】
内容器５３は、このような蛇腹型外容器５２の内側に沿って形成されるが、特に内容器５３の口部は、胴部に比べ肉厚に形成され、外容器５２の口部に密着している。また、内容器５３の口部内側に環状凸部が形成される。通気孔５８の内側に内容器５３の口部が密着することにより、通気孔５８を閉鎖しているが、内容器５３の収縮時には内容器５３が外容器５２から剥離し、外容器５２と内容器５３の間に通気孔５８を通して外気が導入される。キャップ６は、上記と同様に、栓部材４を覆うように外容器の口部に被せされ、その下端内周面において溶着される。
【００４０】
上記と同様に、図１２のごとく、栓部材４は容器本体５１の口部に所定位置まで嵌め込まれるが、このとき、円板状シール部４１が内容器３の口部の環状突部５７に当接してその間を封止する位置に嵌め込まれる。このとき、円板状基部４０と容器本体口部の上面間に隙間が生じ、キャップ６の押し込み操作により、栓部材４はさらに容器本体５1の口部に押し込まれ、口部の上面を円板状基部４０の下面でシールする。円板状基部４０の下面にはシール面が形成され、環状ガイド部４２の外周面にもシール面が形成され、内容器５３の口部内周面に当接するシール部としても機能する。
【００４１】
実際に容器本体５１内に薬液を注入し、栓部材４をその口部に嵌めて封止する場合、上記と同様に、まず、容器本体５１や栓部材４のＥＯ滅菌処理を行った後、容器本体５１の内容器５３内に薬液を注入し、栓部材４を嵌めてその口部を密閉する。このとき、図１２に示すように、栓部材４の円板状シール部４１が内容器５３の環状突部５７に当接してシールする位置に、栓部材４をはめ込む。
【００４２】
上記構成の容器兼用注射器を使用する場合、上記と同様に、キャップ６を容器本体５1に対し押し込み、栓部材４の薬液通路４５内に薬液を導入する。キャップ６を口部に対し、溶着部６１を破って、その押し込み端まで押し込むと、図１３のように、栓部材４が押されて口部内に進入し、栓部材４の円板状シール部４１が内容器５３の口部内の環状突部５８から外れ、内容器３内の薬液がその間を通過して栓部材４内の薬液通路４５に流入する。この状態で、栓部材４の円板状基部４０が口部の上面に当接してその面をシールし、環状ガイド部４２が内容器口部の内周面に当接してその面をシールし、容器本体１の口部のシール状態は確実に保持される。
【００４３】
次に、キャップ６を外し、図１３に示すように、注射針５を針取付部４４に嵌め込む。そして、フランジ５６を把持しながら蛇腹型外容器５２の末端部を押して、内容器５３内の薬液を注射する。このとき、蛇腹型外容器５２の末端を押すと、その末端部に押されて、或いはその内圧の上昇により、内容器５３が押されて収縮し、内容器５３内の薬液が開口部４５ａから栓部材４内の薬液通路４５を通り、針取付部４４から注射針５に送られ、注射される。
【００４４】
この容器兼用注射器においても、上記実施例と同様に、蛇腹型外容器５２を押す力を緩めると、薬液の射出は止まり、内容器５３内や薬液通路４５内に外気が浸入したり、薬液の逆流を生じさせることはなく、安全に且つ衛生的に注射を行うことができる。
【００４５】
なお、この図１０〜図１３の実施例においても、図８の例と同様に、栓部材を容器本体５１の口部に溶着・固定することもできる。この栓部材は、上記と同様に、円筒状基部の上におねじを形成した螺合部を立設し、螺合部の上に針取付部を設けて形成される。螺合部から針取付部にかけて連通する薬液通路が形成され、薬液通路は孔を通して内容器内に連通する。円筒状基部の下側には、容器本体の口部と嵌合する環状凹部が設けられ、その環状凹部内に容器本体５１の口部を密にはめ込み、その接合部を溶着（例えば熱溶着又は超音波溶着）する。さらに、図７の実施例と同様に、上記キャップ６の代わりに、長さの長いキャップ２６を容器本体５１の口部に螺合させる構成とし、注射針５をキャップ２６内に収容するように構成することもできる。
【００４６】
図１４はさらに別の実施形態の容器兼用注射器を示し、この例では、容器本体の口部に、内容器３内に薬液を充填した状態で、略容器状を呈した薄膜蓋体７５が口部の周縁に嵌着され且つ熱溶着などによりシール溶着される。容器本体の口部の薄膜蓋体７５の上方には、底部に尖鋭部７３を持った栓部材７０が装着される。栓部材７０は、円板状基部７１の上に針取付部７４を突設し、円板状基部７１の下側に支持部を介して環状ガイド部７２を水平に設け、その環状ガイド部７２の底部中央に尖鋭部７３が下方に向けて尖鋭形状で設けられる。
【００４７】
環状ガイド部７２の外周部と薄膜蓋体７５の内周面に凹凸部が設けられ、環状ガイド部７２は、未使用の初期状態で、容器状を呈した薄膜蓋体７５の内側上部に嵌合される。栓部材７０内の中央縦方向に、針取付部７４から尖鋭部３の下端まで、薬液通路が設けられ、栓部材７０が押し込まれて尖鋭部７３が薄膜蓋体７５を破ったとき、その尖鋭部７３に開口した孔から薬液通路を通して、薬液を針取付部７４から注射針に送るように構成される。
【００４８】
上記と同様に、外容器２の口部の下方には、通気孔２３が穿設され、その通気孔の下方にフランジ２５が形成される。さらに、上記と同様な構造のキャップ６が栓部材７０と口部に被せられ、その下端部内周面と外容器２の外周面が熱溶着などにより溶着され、装着される。
【００４９】
この容器兼用注射器を使用する場合、まず、キャップ６を容器本体に対し押し込み、栓部材７０の底部の尖鋭部７３を薄膜蓋体７５に突き刺して、口部をシールしている薄膜蓋体７５を破り、薬液通路の開口する尖鋭部７３を容器本体の内容器３内に進入させる。このとき、キャップ６の下端はフランジ２５近傍まで押し込まれ、栓部材７０はその環状ガイド部７２が薄膜蓋体７５の凹部内を下部まで進入し、円板状基部７１が容器本体の口部に当たって停止する。これにより、内容器３内の薬液が栓部材７０内の薬液通路内に流入する。
【００５０】
次に、キャップ６を外し、上記と同様に、注射針を針取付部７４に嵌め込み、蛇腹型外容器２の末端部を押して、内容器３内の薬液を注射する。このとき、蛇腹型外容器２の蛇腹部の末端を押すと、外容器２内の容積が減少してその内圧が上昇し、内圧の上昇により内容器３が押されて収縮し、内容器３内の薬液が栓部材７０内の薬液通路を通り、針取付部７４から注射針に送られ、注射される。
【００５１】
【発明の効果】
以上説明したように、本発明の容器兼用注射器によれば、従来の注射器に使用していたプランジャを不要とするため、構造が簡単で部品点数の少ない注射器とすることができる。また、従来のようなゴム栓やゴム製シール材を使用せずに、プラスチックにより全体を簡単に形成することができるから、従来の注射器に施していた、ゴム栓などの表面の耐薬剤膜付着処理が不要となり、さらに、器具を滅菌処理する際の処理方法の選択枝が広がり、より簡単な滅菌処理を採用して、製造コストを削減することができる。
【図面の簡単な説明】
【図１】本発明の一実施形態を示す容器兼用注射器の正面図である。
【図２】同容器兼用注射器の分解図である。
【図３】同容器兼用注射器の縦断面図である。
【図４】栓部材４の斜視図である。
【図５】使用時の縦断面図である。
【図６】蛇腹部を押した状態の縦断面図である。
【図７】他の実施例の容器兼用注射器の縦断面図である。
【図８】さらに他の実施例の容器兼用注射器の縦断面図である。
【図９】同注射器の栓部材３４の斜視図である。
【図１０】さらに別の実施例の容器兼用注射器の正面図である。
【図１１】同容器兼用注射器の分解図である。
【図１２】同容器兼用注射器の断面図である。
【図１３】同容器兼用注射器の使用時の断面図である。
【図１４】さらに別の実施例の容器兼用注射器の断面図である。
【符号の説明】
1‐容器本体
２‐蛇腹型外容器
３‐内容器
４‐栓部材
５‐注射針
６‐キャップ
７‐口部
２３‐通気孔
４４‐針取付部
【図１】
0004024576.tif 000002
【図２】
0004024576.tif 000003
【図３】
0004024576.tif 000004
【図４】
0004024576.tif 000005
【図５】
0004024576.tif 000006
【図６】
0004024576.tif 000007
【図７】
0004024576.tif 000008
【図８】
0004024576.tif 000009
【図９】
0004024576.tif 000010
【図１０】
0004024576.tif 000011
【図１１】
0004024576.tif 000012
【図１２】
0004024576.tif 000013
【図１３】
0004024576.tif 000014
【図１４】
0004024576.tif 000015